(57)【要約】【課題】未使用のプラグ差込口における乳幼児等の感電事故を防止したり、未使用のプラグ差込口から塵埃や水が入り込まないようにしてトラッキング現象等が発生するのを防止し、また簡単に貼ったりはがしたりして繰返し利用できるコンセント用感電防止カバーを提供する。【解決手段】コンセント本体におけるプラグの差込口を含む差込面を覆う大きさに作製したシール片の裏面に粘着層を形成し、当該シール片内部に切込みを形成して折畳み可能な舌片とするとともに、この舌片を折返してその先端をシール片の外側まで延ばしてつまみとして差込面からシール片を脱着可能とすることにより、前記粘着層を介して当該シール片をコンセント本体の差込面に貼着し、プラグの差込口に幼児が触れて感電したり、プラグの差込口内部に塵埃や水が侵入するのを防止するようにしたことを特徴とするコンセント用感電防止カバー。【選択図】　　　　　図１
2004087343.tif 000002
【特許請求の範囲】
【請求項１】
コンセント本体におけるプラグの差込口を含む差込面を覆う大きさに作製したシール片の裏面に粘着層を形成し、当該シール片内部に切込みを形成して折畳み可能な舌片とするとともに、この舌片を折返してその先端をシール片の外側まで延ばしてつまみとして差込面からシール片を脱着可能とすることにより、前記粘着層を介して当該シール片をコンセント本体の差込面に貼着し、プラグの差込口内部に塵埃や水が侵入するのを防止するようにしたことを特徴とするコンセント用感電防止カバー。
【請求項２】
折畳み可能な舌片が、シール片に粘着力のない箇所を作り、シール片を剥がしやすくして、シール片の脱着操作をし易くしてなる請求項１に記載のコンセント用感電防止カバー。
【請求項３】
折畳み可能な舌片が、プラグの差込口の開口部分を外して形成されている請求項１または２に記載のコンセント用感電防止カバー。
【発明の詳細な説明】
【０００１】
【発明の属する技術分野】この発明はコンセント本体に設けられているプラグの差込口に幼児が触れて感電したり、プラグの差込口から塵埃等が侵入したりするのを防止したコンセント用感電防止カバーに関するものである。
【０００２】
【従来の技術】一般家庭においては通常、柱や壁面、間仕切りの下部等の、乳幼児が手の届く範囲内にもコンセントが設置されている。
また、パソコンやワープロ、ファクシミリ、光ファイルといったＯＡ機器類がオフィス内に増加してきて、オフィスの床面ないしフリーアクセスフロアにはこれらＯＡ機器類に電源を供給するためのケーブルが複雑に配線されるようになってきている。すなわち、最近のオフィスではケーブル配線ラインを複数分岐するジョイントボックスと称するコンセントを多数用いて、オフィス内のレイアウト等に応じて自在にＯＡ機器類に接続できるようにすることが行われている。
【０００３】
【発明が解決しようとする課題】一般家庭内においては、判断力のない乳幼児が、大人がコンセントへプラグを差し込む様子をまねて、金属片などをコンセントのプラグ差込口に差し込む等のいたずらをし、感電死に至る悲惨な事故等も報告されている。
【０００４】また、フリーアクセスフロア等に適用されるコンセントは、オフィス内に導入される実際のＯＡ機器類の数より多めに配設されることが多く、この場合未使用のコンセントのプラグ差込口は開口となったままの状態であるため、塵埃等が侵入し易く導電不良を起こしたり、プラグ差込口に付着した塵埃等によってトラッキング現象を誘発したり、あるいはオフィス内で零したお茶等の液体が開口となったプラグ差込口内に入るという問題点が指摘されている。
【０００５】そこで、この発明は未使用のプラグ差込口における乳幼児等の感電事故を防止したり、未使用のプラグ差込口から塵埃や水が入り込まないようにしてトラッキング現象等が発生するのを防止したコンセント用感電防止カバーを提供することを目的とするものである。
【０００６】
【課題を解決するための手段】前記目的を達成するための本発明の構成を詳述すれば、請求項１に係る発明のコンセント用感電防止カバーは、コンセント本体におけるプラグの差込口を含む差込面を覆う大きさに作製したシール片の裏面に粘着層を形成し、当該シール片内部に切込みを形成して折畳み可能な舌片とするとともに、この舌片を折返してその先端をシール片の外側まで延ばしてつまみとして差込面からシール片を脱着可能とすることにより、前記粘着層を介して当該シール片をコンセント本体の差込面に貼着し、プラグの差込口に幼児が触れて感電したり、プラグの差込口内部に塵埃や水が侵入するのを防止するようにしたことを特徴とするものである。
【０００７】請求項２に係る発明のコンセント用感電防止カバーは、上記折畳み可能な舌片が、シール片に粘着力のない箇所を作り、シール片を剥がしやすくして、シール片の脱着操作をし易くしたことを特徴とするものである。
【０００８】請求項３に係る発明のコンセント用感電防止カバーは、上記折畳み可能な舌片が、プラグの差込口の開口部分を外して形成されていることを特徴とするものである。
【０００９】この発明のコンセント用感電防止カバーによれば、コンセントにおける未使用のプラグ差込口における乳幼児等の感電事故を防止したり、また未使用のプラグ差込口を簡単にシールすることができ、塵埃や水の侵入を防止してトラッキング現象等の発生を未然に防ぐことができる。
【００１０】さらに、この発明のコンセント用感電防止カバーによれば、粘着層を介してシール片をコンセントにおけるプラグの差込面に貼着するようにしたので隙間を完全になくすことができ、隙間を通じて乳幼児がいたずらをしたり、塵埃等がプラグ差込口に侵入するのを有効に防止することができるものである。しかも、差込口にキャップを嵌合する構造のものと異なって、非常に安価であるばかりでなく、脱落等の心配のないシール構造を提供することができるものである。
【００１１】さらに、コンセントにおけるプラグの差込面にシール片を貼着した後も簡単にはがして別の差込面に貼付することが可能であり、繰返して使用することができる上、つまみとなる舌片部分によってシール片に粘着力のない箇所が発生するので、必要に応じてはがし易いコンセント用感電防止カバーを提供することが可能となった。
【００１２】
【発明の実施の形態】以下、本発明のコンセント用感電防止カバーの具体的構成を図示の実施形態に基づき詳細に説明する。図１はシール片の舌片を折返した状態の側面図、図２はシール片の舌片を折返した状態の平面図、図３はシール片の舌片を折返す前の状態の平面図、図４（ａ）はシール片の舌片を切込み部分から折返す段階を示し、（ｂ）はつまみを形成した状態を示すそれぞれ斜視図である。
【００１３】図中１はプラグ差込口２を備えたコンセント本体の例を示し、３はプラグ差込口２を開口させた差込面を示す。なお、このプラグ差込口は２連であっても、単独のプラグ差込口を開口させたコンセントであっても本発明を適用し得るのは云うまでもない。
【００１４】次に、図中４はコンセント本体１におけるプラグの差込口２を含む差込面３のほぼ全体を覆う大きさに作製した紙製、合成樹脂製、あるいは金属箔製のシール片であり、５は当該シール片４の裏面に形成した粘着層を示す。シール片４を構成する素材としては摩擦や熱に対して強い抵抗力を示現するとともに、電気絶縁性が良好なものであれば種類を問うものではなく、紙製、合成樹脂製、あるいは金属箔製のいずれの素材を使用してもよい。もちろん、金属箔素材の場合には電気絶縁性に注意を払う必要があるのはいうまでもない。
【００１５】コンセント本体１に設けられたプラグの差込口２が一つの場合には、それに見合った大きさのシール片を調製し、２連の差込口２を有するコンセント本体１の場合には、シール片４を長尺状となし、差込面３の全体を覆い得る大きさに調製し、長尺状となしたシール片４のほぼ中央部分にミシン目を形成して左右に分離可能なようにしておいてもよい。なお、上記シール片４の裏面には粘着層５を覆うように剥離紙６を貼付しておくと取扱操作性が向上して好ましいものである。
【００１６】また、一旦貼着したシール片４をコンセント本体１の差込面３から剥がしてプラグ差込口２を開口させるときの手掛かりとなるようシール片４の外周部適所に差込面から外れる舌片を突成しておくと便利である。
【００１７】本発明においては、図４（ａ）のように上記シール片４内部に切込み７を形成して折畳み可能な舌片８とするとともに、この舌片８を折返し、図４（ｂ）のようにその先端をシール片４の外側まで延ばしてつまみ９とし、コンセント本体１の差込面３からシール片４を脱着可能としてある。このようにしておくと舌片８が折畳まれて反転し、舌片８の粘着力の付与されていない面がコンセント本体１の差込面３に向くため、シール片４に粘着力のない箇所を作り、シール片４を簡単にはがせるようになる。したがって、シール片の脱着操作がきわめて簡単に行える
【００１８】コンセント本体１のプラグ差込口２を含む差込面４には、通常左右一対の開口部分の間に隙間が設けられている。そこで上記折畳み可能な舌片８を、プラグの差込口の開口部分を外して形成しておけば、プラグ差込口が開口となったままの状態となることがなく、未使用のプラグ差込口に乳幼児等がいたずらをして感電事故を起こしたり、未使用のプラグ差込口から塵埃等が侵入して導電不良を起こしたり、あるいはプラグ差込口に付着した塵埃等によってトラッキング現象を誘発するおそれがない。
【００１９】
【発明の効果】この発明のコンセント用感電防止カバーによれば、未使用のプラグ差込口を簡単にシールすることができ、未使用のプラグ差込口における乳幼児等の感電事故を防止したり、未使用のプラグ差込口からの塵埃や水の侵入を防止してトラッキング現象等の発生を未然に防止することができるものである。しかも、粘着層を介してシール片がコンセントにおけるプラグの差込面全体に貼着されるので、脱落のおそれが一切ないとともに、隙間を通じて乳幼児がいたずらしたり、塵埃等がプラグ差込口に侵入するのを有効に防止することができるものである。
【００２０】なお、この発明においては上記シール片に折畳み可能な舌片を形成するとともに、この舌片を折返してその先端をシール片の外側まで延ばしてつまみとすることができるようにしてある。したがって舌片が折畳まれて反転し、舌片の粘着力の付与されていない面がコンセント本体の差込面に向くため、シール片に粘着力のない箇所を作り、シール片を簡単にはがせるようになる。そのため、シール片の脱着操作がきわめて簡単に行える。
【図面の簡単な説明】
【図１】シール片の舌片を折返した状態の側面図である。
【図２】シール片の舌片を折返した状態の平面図である。
【図３】シール片の舌片を折返す前の状態の平面図である。
【図４】（ａ）はシール片の舌片を切込み部分から折返す段階を示し、（ｂ）はつまみを形成した状態を示すそれぞれ斜視図である。
【符号の説明】
１　コンセント本体
２　プラグ差込口
３　差込面
４　シール片
５　粘着層
６　剥離紙
７　切込み
８　舌片
９　つまみ
【図１】
2004087343.tif 000003
【図２】
2004087343.tif 000004
【図３】
2004087343.tif 000005
【図４】
2004087343.tif 000006